(57)【要約】椅子（１０）は安定装置（１００）を含む。安定装置（１００）は、椅子（１０）のシート（１４）及び椅子（１０）の背もたれ（１６）の少なくとも１つに対して横方向である長手方向に対して直角方向に配置された一対の対向するボルスター（１０２）を含む。ボルスター（１０２）は椅子（１０）に座った人の骨盤領域を横方向に支持して骨盤領域に横方向から中間方向までの安定性を与えるために調節可能である。
2005533538.tif 000002
【特許請求の範囲】
【請求項１】
椅子用安定装置であって、
人の臀部を支持する椅子のシートの少なくとも１つに対して、長手方向に対して直角方向に配置された一対の対向するボルスターと、
前記椅子の背もたれと、を含み、
人の骨盤領域を長手方向に対して直角方向である横方向に担持して該骨盤領域に該横方向から中央方向への安定性を与えるために、前記ボルスターが調節可能である椅子用安装置。
【請求項２】
前記シート及び前記背もたれの一方の一部として構成し得る、請求項１に記載の安定装置。
【請求項３】
各ボルスターは前記シートの関連する側及び前記背もたれの関連する側の一方に対して調節可能に装着される、請求項２に記載の安定装置。
【請求項４】
各ボルスターは前記シート及び前記背もたれの一方に装着手段によって装着され、
前記ボルスターの調節可能性は前記装着手段の弾発可撓性によって付与される、請求項２に記載の安定装置。
【請求項５】
前記装着手段は弾発可撓性材料からなる少なくとも１つの装着背もたれを備える、請求項４に記載の安定装置。
【請求項６】
少なくとも１つの前記装着背もたれはバネ鋼からなる、請求項５に記載の安定装置。
【請求項７】
各ボルスターの少なくとも一部は真下に配置され、かつ前記椅子の各側に配置されたアームレストの一部を構成する、請求項１または請求項２に記載の安定装置。
【請求項８】
各アームレストは分離したアームレストであり、前記一部は前記アームレストの下部を構成する、請求項７に記載の安定装置。
【請求項９】
各アームレストの前記下部部材は、該アームレストの上部部材に対して長手方向に対して直角方向に調整可能である、請求項８に記載の安定装置。
【請求項１０】
着座装置用背もたれであって、
人の背骨を支持する支持構造体と、
人の前記背骨の仙骨領域を担持する前記支持構造体の作動下部端縁から延在する突出部と、を含む着座用背もたれ。
【請求項１１】
前記突出部は前記背もたれの長手方向軸線に沿って実質的に中央に配置され、かつ人の前記骨盤の腸骨間に嵌るように寸法づけされる、請求項１０に記載の背もたれ。
【請求項１２】
前記突出部は実質的に台形形状楔の形態をしている、請求項１０または請求項１１に記載の背もたれ。
【請求項１３】
前記支持構造体は、その作動前部表面に腰部支持領域を含む、請求項１０から請求項１２までのいずれか１項に記載の背もたれ。
【請求項１４】
前記腰部支持領域は、使用時に、人の腰部第３推骨（Ｌ３）から前記背骨の仙骨までの間の領域にある人の前記背骨を担持するために、前記支持構造体の作動下部端縁より上に配置される、請求項１３に記載の背もたれ。
【請求項１５】
前記支持構造体には、その作動上部領域が人の肩申骨間に嵌るように、作動頂部端縁に向かって内向きにテーパが付されている、請求項１０から請求項１４までのいずれか１項に記載の背もたれ。
【請求項１６】
着座装置用構成要素であって、
人の臀部を使用時に支持する弾発性可撓性材料からなる本体部材を含み、
前記本体部材は切り取られた後部部分を含み、
切り取られた前記後部部分は使用時に人の坐骨租面が切り取られた前記部分に覆い被さるように寸法づけられる着座装置用構成要素。
【請求項１７】
既存の椅子上に配置すべき椅子のシート及びアクセサリーの一方を構成する、請求項１６に記載の構成要素。
【請求項１８】
前記本体部材の切り取られた前記後部部分は、使用時に人の臀部がその上に延在するリップを構成するために弓形である、請求項１６または請求項１７に記載の構成要素。
【請求項１９】
切り取られた前記部分は、前記本体部材の残部の材料より柔軟な弾発可撓性材料からなる充填材を含む、請求項１６から請求項１８までのいずれか１項に記載の構成要素。
【請求項２０】
前記本体部材の作動前部端縁は、該本体部材の側部端縁と共に、該本体部材の前記後部部分から前記先端端縁まで分岐する一対のチャネルを画成する、中央に配置された隆起形成物を有する、請求項１６から請求項１９までのいずれか１項に記載の構成要素。
【請求項２１】
着座装置用構成要素であって、
使用時に人の臀部を支持する弾発可撓性材料からなる本体部材を含み、
前記本体部材は、該本体部材の側部端縁と共に、該本体部材の後部部分から先端前部領域まで分岐する一対のチャネルを画成する、作動前部領域の中央に配置された隆起形成物を含む着座装置用構成要素。
【請求項２２】
フレームと、
実質的に水平な作動位置にある前記フレームに装着された、請求項１６から請求項２１までのいずれか１項に記載の構成要素と、
前記構成要素から上向きに突出するように前記フレームに装着された、請求項１０から請求項１５までのいずれか１項に記載の背もたれと、を含む着座装置。
【請求項２３】
前記構成要素及び前記背もたれの相対的位置は、前記シートの後部端縁と、前記背もたれの下部端縁と、の間で、該シートに座った人の前記腰部領域を収容するために間隙が形成されるようなものである、請求項２２に記載の着座装置。
【請求項２４】
前記構成要素は前記フレーム上に調節可能に装着される、請求項２２または請求項２３に記載の着座装置。
【請求項２５】
前記背もたれは前記フレーム上に調節可能に装着される、請求項２２から請求項２４までのいずれか１項に記載の着座装置。
【請求項２６】
前記フレームは、前記シートと前記背もたれを支持する組立体を備え、前記組立体は、前記着座装置を支持する基板に対して該組立体の高さ調節を容易にするように該フレームの残部に対して調節可能に装着される、請求項２２から請求項２５までのいずれか１項に記載の着座装置。
【請求項２７】
少なくとも１つのアームレストを含む、請求項２２から請求項２６までのいずれか１項に記載の着座装置。
【請求項２８】
少なくとも１つの前記アームレストは前記背もたれに対して調節可能に装着される、請求項２７に記載の着座装置。
【請求項２９】
少なくとも１つの前記アームレストは、前記背もたれに対する前記アームレストの好ましい配向で、少なくとも１つの前記アームレストが人の前記腰部領域を担持するように該背もたれに装着される、請求項２８に記載の着座装置。
【請求項３０】
少なくとも１つの前記アームレストは、使用時に机に対するその当接を容易にする長さを有する、請求項２７から請求項２９までのいずれか１項に記載の着座装置。
【請求項３１】
請求項２２に記載の着座装置と、
前記背もたれに対して位置づけられた少なくとも１つのアームレストと、を含む椅子。
【請求項３２】
長手方向に対して直角方向に一定の間隔をおいて配置された一対のアームレストを含む、請求項３１に記載の椅子。
【請求項３３】
前記アームレストは前記背もたれに調節可能に装着される、請求項３２に記載の椅子。
【発明の詳細な説明】
【技術分野】
【０００１】
本発明は着座装置に関する。より詳細には、本発明は、着座装置用構成要素、およびこうした構成要素を含む着座装置に関する。
【背景技術】
【０００２】
座る行為は、多くの人々の日常活動の大部分を構成する。驚いたことに、かなりの量の肉体的傷害が間違った着座姿勢により生じ得る。
【０００３】
さらに、人が脊髄の問題を有すると、不適切な椅子又はシートはこれらの問題をひどく悪化させ得る。
【発明の開示】
【発明が解決しようとする課題】
【０００４】
椅子のほとんど全ての部品は、こうした部品が間違った姿勢に帰着する場合、特に人々が自分達の働く日の大部分を着座する労働環境では、椅子を規則的に利用する人々に逆の結果をもたらし得る。
【課題を解決するための手段】
【０００５】
本発明の第１態様によれば、椅子用安定装置であって、人の臀部を支持する椅子のシートの少なくとも１つに対して、長手方向に対して直角方向に配置された一対の対向するボルスターと、前記椅子の背もたれと、を含み、人の骨盤領域を長手方向に対して直角方向である横方向に担持して該骨盤領域に該横方向から中央方向への安定性を与えるために、前記ボルスターが調節可能である椅子用安装置が提供される。
【０００６】
安定装置は、シート及び背もたれの一方の一部として構成し得る。
【０００７】
各ボルスターは前記シートの関連する側及び前記背もたれの関連する側の一方に対して調節可能に装着し得る。代わりに、各ボルスターは前記シート及び前記背もたれの一方に装着し得るものであり、前記ボルスターの調節可能性は前記装着手段の弾発的可撓性によって付与される。従って、装着手段は弾発的可撓性材料からなる少なくとも１つの装着背もたれを備え得る。少なくとも１つの装着背もたれはバネ鋼とし得る。
【０００８】
各ボルスターの少なくとも一部は真下に配置され、かつ椅子の各側に配置されたアームレストの一部を構成し得る。従って、各アームレストは分離したアームレストとし得る。前記一部は前記アームレストの下部部材を構成する。各アームレストの下部部材は、該アームレストの上部部材に対して横方向である長手方向に対して直角方向に調整可能とし得る。各アームレストの上部部材は固定、あるいは独立して調整可能とし得る。
【０００９】
本発明の第２態様によれば、背もたれであって、人の背骨を支持する支持構造体と、人の前記背骨の仙骨領域を担持する前記支持構造体の作動下部端縁から延在する突出部と、を含む、着座装置用背もたれが提供される。
【００１０】
上記に示すように、前記突出部は、人の背骨の仙骨領域を支持するように構成される。その結果、前記突出部は、前記背もたれの長手方向軸線に沿って実質的に中央に配置し得るものであり、前記人の骨盤の腸骨間に嵌るように寸法づけされる。前記突出部は、実質的に台形形状楔の形態とし得る。
【００１１】
支持構造体は、前記支持構造体の作動前部表面に、一部である膨らんだ形態をした腰部支持領域を含み得る。前記腰部支持領域は、使用時に人の腰部第３推骨（Ｌ３）から背骨の仙骨までの間の領域にある人の背骨を担持して、正しい胸部脊柱後湾を容易になし、かつ腰部前湾に対するより強い支持をするために、前記支持構造体の作動下部端縁の真上に配置し得る。
【００１２】
支持構造体には、該支持構造体の作動頂部領域が人の肩申骨間に嵌るように、作動頂部端縁に向かって内向きにテーパを付け得る。
【００１３】
本発明の第３態様によれば、着座装置用構成要素であって、使用時に人の臀部を支持する弾発可撓性材料からなる本体部材を含み、前記本体部材は切り取られた後部部分を含み、切り取られた前記後部部分は使用時に人の坐骨租面が切り取られた後部部分に覆い被さるように寸法づけられる。
【００１４】
構成要素は、既存の椅子上に配置すべきクッションのような、椅子のシート及びアクセサリーの一方を構成し得る。
【００１５】
本体部材の切り取られた後部部分は、人の臀部が使用時に延在するリップを構成するために弓形又は凹面とし得る。所望により、切り取られた部分は、本体部材の残部の材料より柔軟な弾発的可撓性材料からなる充填材を含み得る。
【００１６】
本体部材の作動前部、すなわち先端の、端縁は、本体部材の側部端縁と共に、本体部材の後部部分から先端端縁まで分岐する一対のチャネルを画成する中央に配置された隆起形成物である小結節を有する。これは、人の肢を僅かに拡げて人の臀部をより弛めた姿勢に配置し、かつ人の大腿部の長さに沿ってより均等に圧力を分配する装置を提供する。
【００１７】
本発明の第４態様によれば、着座装置用構成要素であって、人の臀部を使用時に支持する弾発性可撓性材料からなる本体部材を含み、前記本体部材は、該本体部材の側部端縁と共に、該本体部材の後部部分から先端前部領域まで分岐する一対のチャネルを画成する、作動前部領域の中央に配置された隆起形成物である小結節を含む。
【００１８】
本発明の第５態様によれば、フレームと、上述したように、実質的に水平な、作動位置にある前記フレームに装着された構成要素と、上述したような、前記構成要素から上向きに突出するように前記フレームに装着された背もたれと、を含む着座装置が提供される。
【００１９】
前記構成要素、あるいはシート、および前記背もたれの相対的位置は、前記シートの後部端縁と、前記背もたれの下部端縁と、の間で、該シートに座った人の腰部領域を収容するために間隙が画性されるようにし得る。この間隙は発泡体のインデントによって画性し得る。さらに、この間隙は前記シートの残部の発泡体よりより柔軟な軟度の発泡体を含み得る。
【００２０】
前記構成要素は前記フレーム上に調節可能に装着し得る。シートは、フレーム上で傾斜及び実質的に水平変位するように調節し得る。同様に、背もたれはフレーム上に調節可能に装着し得る。背もたれは、前記シートに対して傾斜及び実質的に垂直変位するように調節し得る。
【００２１】
前記フレームは、前記シートと前記背もたれを支持する組立体を備え得る。前記組立体は、着座装置を支持する基板に対して前記組立体の高さ調節を容易にするように該フレームの残部に対して調節可能に装着される。
【００２２】
前記着座装置は少なくとも１つのアームレストを含み得る。好ましくは、前記着座装置は一対の長手方向に対して直角方向に一定の間隔をおいて配置されたアームレストを含み得る。１つのアームレストは、前記背もたれの各側に設け得るものであり、かつ該背もたれに装着し得る。
【００２３】
本発明の好ましい実施形態では、各アームレストは前記背もたれに対して調節可能に装着し得る。前記アームレストは、前記背もたれに対する横方向変位、並びに垂直変位に対して調整可能とし得る。
【００２４】
各アームレストは、前記背もたれに対する前記アームレストの好ましい配向で、少なくとも１つの前記アームレストが人の腰部領域を担持するように、背もたれに装着し得る。
【００２５】
使用時に前記着座装置に座った人に正しい着座姿勢を与えるように適切に配向された着座装置の残部と共に、各アームレストは机に対するその当接を容易にする長さを有し得る。
【００２６】
さらに、前記アームレストは、着座装置に座った人が自身の肘を該アームレスト上に載置するために体から外向きに外転させる必要がないように配置され且つ寸法づけ得る。むしろ、アームレストは、肘が人の体の側で自然に懸下するように位置づけられる。この装置は首、肩及び腕筋肉の疲労緩和を支援することを確信する。
【００２７】
本発明の第６態様によれば、上述したような着座装置と、前記背もたれに対して位置づけられた少なくとも１つのアームレストと、を含む椅子が提供される。
【００２８】
好ましくは、椅子は１対の長手方向に対して直角方向に一定の間隔をおいて配置されたアームレストを含む。アームレストは背もたれに調節可能に装着し得る。特に、アームレストは互いに対してアームレストの長手方向に対し直角方向の変位を調節するために調整し得る。
【００２９】
ここで、添付図面を参照して本発明を実例によって説明する。
【発明を実施するための最良の形態】
【００３０】
図面中、参照符号１０は、全体的に、本発明の態様による椅子の形態をしたシートを指す。椅子１０は、本発明の更なる態様によるシート１４を支持するフレーム１２を含む。フレーム１２は本発明の更に別の態様による背もたれ１６を更に支持する。
【００３１】
説明の簡易化のため、椅子１０はその使用に関して事務椅子として説明する。しかしながら、自動車椅子又はシートを含む他のタイプの椅子に本発明の種々の態様を組み込み得ることは当業者により理解される。
【００３２】
椅子１０のフレーム１２は、シート１４を支持する一部２０を具備する組立体１８を含む。組立体１８は、使用時に、椅子１０の動きを容易にするために、車輪付構造体２１上に取り付けられる。フレーム１２は、背もたれ１６を担持する一部２２をさらに含む。
【００３３】
図面中図２〜図４に示すように、椅子１０は１対の長手方向に対して直角方向に所定の間隔をおいて配置された一対のアームレスト２６を含む。
【００３４】
シート１４は、弾発可撓性材料からなるクッションの形態をしている。
【００３５】
重要なことに、シート１４の作動する後部領域は参照符号２８で示すような切り取られた部分を具備する。切り取られた部分２８は、尾部３０を設けるためシート１４の頂部からテーパが付されている。より重要なことに、切り取られた部分２８は、椅子に座った人３８の骨盤３６の坐骨粗面３４（図５）がその上に垂下するリップ３２を構成するために弓形又は凹面である。
【００３６】
このリップ３２は、シート１４に座った人３８の前進摺動を阻止して、前かがみの尾部骨盤回転と、推奨される湾曲とは正反対であり、かつ、通常、”前かがみ座り姿勢(slumped sitting posture)”と称する逆又は平坦な腰部脊柱前湾症と、を引き起こさせないようにするより良い骨盤及び脊柱姿勢を助成する。
【００３７】
坐骨租面３４は僅かにリップ３２に係合し、従って人３８が前進摺動することを阻止して、より中立した骨盤姿勢を助長する。切り取られた部分２８は、人の脊柱４４の仙骨４２に対する骨盤３６の腸骨６４の尾部回転も助長する。この姿勢は、人の骨盤３６の仙骨−腸骨結合の安定した配置を与える。
【００３８】
従って、人３８の臀部４０は、臀部４０の柔軟組織上の圧力量を減じ、かつ重量が人の脊柱４４の仙骨４２の尾低骨によって、あるいは臀部４０の柔軟組織によって直に支えられる人３８の姿勢に人３８が前かがみになる可能性を減じる、人３８が椅子１０に座った時の半懸架状態を有する。これは人３８の骨盤３６によって血管循環を容易にし、改善された下肢血液循環を奨励し、かつ増加した圧力から生じる臀部の痛みを減じる支援をすべきである。
【００３９】
シート１４は充填されていない、切り取られた部分２８を有するように図示されているが、切り取られた部分２８は、例えば、シート１４の残りの部分の発泡材料よりかなり柔軟な発泡材料からなる充填材を含有し得ることが理解される。
【００４０】
シート１４の作動前部領域４６は隆起した鼻部又は小結節形成物４８を有する。図面中図２及び図４に示すように、これは、シート１４の側部端縁５２と共に、シート１４の後部から前部領域４６まで分岐する一対のチャネルを創出する。
【００４１】
鼻部４８は人３８がシート１４上に”腰を掛ける(perch)”ことを可能にし、かつ人３８の臀部を外向き且つ僅かに回転させてより快適で中立した臀部姿勢にさせる。これはより中立した腰ー骨盤湾曲も助長する。
【００４２】
矢印５４及び５６（図１）で示すように、シート１４は、水平調整及び傾斜調節のためにフレーム１２の一部２０にそれぞれ取り付けられる。背もたれ１６は、人３８の脊柱４４を支持するための支持構造体５８を含む。
【００４３】
背もたれ１６は、使用時に、人の骨盤３６の腸骨の稜線６４．１（図５）との衝突を避ける下部端縁６０を画定する。仙骨６２の形態をした突出部６２は、下部端縁６０の中央部から下向きに延在する
【００４４】
実質的に台形形状をした楔６２は、人３８の骨盤３６の腸骨６４間に嵌合するのに十分小さな幅である。楔６２は、仙骨点頭、尾部腸骨回転に対して安全な姿勢、および腰椎骨Ｌ５との関節接合のために改善された配向を与える。
【００４５】
背もたれ１６は、背もたれ１６の前部６８から突出する膨らんだ部分６６の形態をした腰椎レストを有する。膨らんだ部分６６は楔６２と協働して正しい腰椎前湾姿勢及び仙骨４２と脊柱４４の腰椎骨７０（図７）との間の正しい関係を容易にする。
【００４６】
支持部を、骨盤３６の正しい支持部を作ることを支援する、骨盤３６にあてがうことによって楔６２はシート１４を補足する。より詳細には、シート１４は骨盤の後向き傾斜を阻止し、楔６２は仙骨４２の反転頭を阻止して中立した骨盤姿勢を促進する。
【００４７】
この装置は、背もたれ１６の下部端縁６０とシート１４のリップ３２との間に間隙７２が創出されるようなものである。この装置によって、人３８の臀部４０は椅子１０の何れの部分も支持しない。
【００４８】
膨らんだ部分６６は、実際には、楔６２の前部延長部分であり、仙骨４２と図面中の図７に示すような第３腰椎骨７４との間の領域にある脊柱４４に作用する。膨らんだ部分６６は、自身の最大突出領域が実際には第３腰椎骨７４より下に横置するように位置づけられる。
【００４９】
骨盤３６の腸骨６４の腸骨稜線６４．１へ圧力を何れも最小限にするように、膨らんだ部分６６は横方向に広がり横方向内向きにテーパが付されている。膨らんだ部分６６は、腰部脊柱前湾症及び胸部脊椎後湾症の両方を改善する働きをする。背もたれ１６の膨らんだ部分６６は、脊柱４４の腰部脊柱前湾の底部分にその最も大きな支持部を接触させる。シート１４及び楔６２と共に、これは、人３８が中立骨盤姿勢及び腰部脊柱の改善された脊柱前湾によって、自分達を位置づけることを可能にする。
【００５０】
背もたれ１６の支持構造体５８は、頂部７６まで内向きにテーパが付されている。図面中図６に示すように、背もたれ１６の頂部７６の幅は人３８の肩甲骨７８間にそれがぴったりと嵌まるような状態である。これは、人の肩８０の運動の自由を許容して、前方傾斜モーメントを阻止する。
【００５１】
矢印８２及び８４（図１）によって示されるように、背もたれ１６は、垂直調節及び傾斜調節のためにフレーム１２上にそれぞれ取り付けられる。
【００５２】
アームレスト２６は背もたれ１６上で支持される。本発明の一の実施形態では、図面中図１〜図６に図示した、矢印８６によって示すように、アームレスト２６は互いに対して横方向に移動可能である。
【００５３】
アームレスト２６は詰め物をした材料である。アームレスト２６の詰め物のしてある部分は、背もたれ１６の側面部分にぴったりと嵌る。互いに対するアームレスト２６の横方向変位により、矢印８６によって示されるように、アームレスト２６は、人がアームレスト２６上で横方向に撓む／もたれ掛かる必要がないように、椅子の背もたれ１６の中線から距離をおいて位置づけられる。図面中図６に示すように、アームレストは人３８の腕が下向きに垂下し、かつ外向きに広がらないように人３８の肩８０の真下に位置するように位置づけられる。
【００５４】
アームレスト２６は、横方向に調整可能であり、これらのアームレストは人３８の体にしっかりと嵌まるという点で更なる機能を供する。アームレスト２６は、骨盤３６に圧力を加えるための内壁８８を具備する。これは、骨盤３６の横方向から中央方向までの安定性を支援し、かつ人が長い期間に亘って座ることを可能にする中立シート姿勢を助長する。
【００５５】
また、上述したように、アームレスト２６は、人３８の体がアームレストを横切ってもたれ掛かりこれにより中立幹姿勢からの脱出(out-of-neutral trunk posture)を減じるといった問題を停止するには十分に接近している。
【００５６】
アームレスト２６は、シート１４の先端端縁４６にまさに手前で終端する前部端縁を有する。これは、アームレスト２６がデスクの端縁に当接するか、あるいは、人の腕がキーボード／マウス姿勢を正しく支持することを許容するように、デスク高さより下にアームレストを取り付けることを可能にする。
【００５７】
アームレスト２６は、矢印９０によって示すような背もたれ１６に対して垂直に調整可能であることにも留意すべきである。
【００５８】
図面中図８及び図９を参照して、椅子１０の第２実施形態を説明する。前述の図面を参照すると、類似の参照符号は別段の定めがない限り類似の部品を言及する。
【００５９】
本発明のこの実施形態では、椅子１０は、シート１４の各側に配置された安定装置１００の形態をした安定装置を含む。
【００６０】
各安定装置１００は２つの構成要素によって構成される。第１構成要素１０２は、シート１４の各側部端縁５２の後部のシート１４上に調節可能に取り付けられたボルスターである。矢印１０４によって示すように、中立したシート姿勢を促進するように人の骨盤３６に係合且つ安定させるために各ボルスター１０２は使用に回動可能に調節可能であるようにシート１４に回動するように取り付けられている。これは、各安定装置１００の第２構成要素によって増大される。
【００６１】
この実施形態では、各アームレスト２６は上部部材１０６及び下部部材１０８を具備する分離したアームレストである。各アームレスト２６の上部部材１０６は、背もたれ１６の自身の関連する側に固定されるか、あるいは下部部材１０８に対して独立して移動可能である。各アームレスト２６の下部部材１０８は、各安定装置１００の第２構成要素を構成し、人の骨盤３６の横方向の安定を促進するために矢印１１０によって示すような上部部材１０８に対して横方向に移動可能である。
【００６２】
この実施形態の変形では、両方の構成要素１０２及び１０６の代わりに、各安定装置１００が構成要素１０２及び１０８の何れかを単独で備え得ることが分かる。
【００６３】
ここで、図面中図１０及び図１１を参照して、椅子１０の一更なる実施形態を説明する。再度、前述の図面を参照して、類似の参照符号は別段の断りがない限りは類似の部品を言及する。
【００６４】
本発明のこの実施形態では、各ボルスター１０２は１対の所定間隔をおいて配置された装着背もたれ１１２の形態をした取付装置によってシートに取り付けられる。より詳細には、各背もたれはシート１４の、ボルスター１０２及び堅固な裏当て部材１１６の各々の合板裏当て部材のような裏当て部材１１４に固定される。人がボルスター１０２間に座る結果としてボルスター１０２が外向きに付勢された時に、背もたれ１１２がボルスター１０２をバネ偏倚させて、横方向から中央方向圧力を人の骨盤３６に与えて骨盤３６の正しく安定した姿勢を促進するように、各ボルスター１１２はバネ鋼から作られる。
【００６５】
人のための正しいシート姿勢を促進する椅子１０を提供することが本発明の利点である。シート１４の装置は、椅子に座った人が前かがみになるか、あるいは前進摺動する傾向を減じる。それは、尾部骨盤回転も減じる。
【００６６】
椅子１０の背もたれ１６は、より長い時間の間に亘って使用者が正しい姿勢で座ることを可能にする中立した腰部骨盤姿勢を促進する。仙骨の支持部は正しい脊柱の姿勢を促進する。また、骨盤の腸骨は、仙骨に対してより安定している姿勢に回転することを許容される。さらに、膨らんだ部分６６の使用は正しい腰部脊柱前湾及び胸部後湾を促進し、呼吸筋肉のより効率的な使用を促進する。
【００６７】
椅子１０の更なる利点は、アームレストが腰部骨盤の安定性を改善するように働くということである。人がシートっている時に人の臀部筋肉を効率的に付勢することはできないから、横方向安定装置１００及び／又はアームレスト２６は人の骨盤３６の仙骨−腸骨の結合を人工的に”閉じる”ように働き、これにより骨盤３６が安定するという利点を与える。従って、この腰部骨盤の安定性は安定装置１００及び／又はアームレスト１００によって与えられる横方向の安定性、並びに正しい仙骨、腸骨及び脊骨姿勢を容易にするシート／背もたれ関係によって与えられる。さらに、アームレスト２６は、姿勢毎のキー入力／マウス使用を支援する。
【００６８】
シート１４上のリップ３２の装置、楔６２および背もたれ１６の膨らんだ部分６６を設けることによって或る量の仙骨中立及び中立した骨盤姿勢を促進することは本発明の更なる利点である。
【００６９】
シート１４は、出願人が気にしている他の椅子よりも相補的力の分配である背骨、仙骨、腸骨及び大腿骨に対する支持によってより良い位置決めを提供する。これは、より中立した姿勢のための骨盤支持部を具備するより大きな幹腰角度を可能にする。
【００７０】
広範囲に記載した本発明の精神又は範囲から逸脱せずに、特定の実施形態に示したような、多数の変変形及び／又は変更を本発明に成し得ることは当業者によって理解される。現在の実施形態は全ての点で例示的なものであり、限定的なものではないものとして考慮すべきである。
【図面の簡単な説明】
【００７１】
【図１】本発明の態様によるシート席装置の概略側面図である。
【図２】シート席装置の概略分解組立平面図である。
【図３】シート席装置の一部の概略分解組立前部図である。
【図４】シート席装置の一部の概略３次元図である。
【図５】シート席装置に座った人の概略側面図である。
【図６】シート席装置に座った人の背面図である。
【図７】人の脊柱の一部と、シート席装置の一部が該脊柱に与える影響と、を示す図である。
【図８】本発明の第２実施形態によるシート席装置の一部の概略３次元図である。
【図９】図８のシート席装置の概略分解組立前部図である。
【図１０】本発明の第３実施形態によるシート席装置の一部の概略３次元図である。
【図１１】図１０のシート席装置の概略分解前部図である。
【符号の説明】
【００７２】
１０  椅子
１２  フレーム
１４  シート
１６  背もたれ
１８  組立体
２０  フレームのシートを支持する一部
２１  車輪付構造体
２２  フレームの背もたれを担持する一部
２６  アームレスト
２８  切り取られた部分
３０  尾部
３２  リップ
３４  坐骨租面
３６  骨盤
３８  人
４０  臀部
４２  仙骨
４４  脊柱
４６  前部領域
４８  鼻部
５２  側部端縁
５８  支持構造体
６０  下部端縁
６２  楔
６４  腸骨
６４．１  腸骨稜線
６６  膨らんだ部分
６８  前部
７０  腰椎骨
７２  間隙
７４  第３腰推骨
７６  頂部
７８  肩甲骨
８０  肩
８８  内壁
１００  安定装置
１０２  ボルスター
１０６  上部部材
１０８  下部部材
１１２  装着背もたれ
１１４  裏当て部材
１１６  裏当て部材
Ｌ３  腰部第３推骨
Ｌ５  腰椎骨
【図１】
2005533538.tif 000003
【図２】
2005533538.tif 000004
【図３】
2005533538.tif 000005
【図４】
2005533538.tif 000006
【図５】
2005533538.tif 000007
【図６】
2005533538.tif 000008
【図７】
2005533538.tif 000009
【図８】
2005533538.tif 000010
【図９】
2005533538.tif 000011
【図１０】
2005533538.tif 000012
【図１１】
2005533538.tif 000013
【国際調査報告】
2005533538.tif 000014
2005533538.tif 000015
2005533538.tif 000016